(57)【要約】      （修正有）【課題】水を飲料用に浄化・活性化するための器具を提供する。【解決手段】水の供給口と、処理後の水を取り出すための排出口を持ち、その中を水が上昇流と下降流として流れ、水の流れの中に、アルカリ土類金属化合物との接触による処理部５、テラヘルツ波を発生する物質をビーズ状にしたものとの接触による処理部６を有するものにする。アルカリ土類金属化合物による処理部５は、アルカリ土類金属の炭酸塩を主成分とする粒状物をネット状の袋に収めたもの、テラヘルツビーズとの接触による処理部６は、テラヘルツ波を発生する物質の粒状物をネット状の袋に収めたものにする。さらに、アルカリ土類金属化合物による処理部５、テラヘルツビーズによる処理部６の前に、固体不純物のろ過具３と活性炭による吸着部４を持ち、また、アルカリ土類金属化合物による処理部５、テラヘルツビーズによる処理部６の後の排水位置より低い部分に、沈殿物を収めるスペース９を設ける。【選択図】図１
0003209874.tif 000002
【実用新案登録請求の範囲】
【請求項１】
水の供給口と、処理後の水を取り出すための排出口を持ち、その中を水が流れる通路に、アルカリ土類金属化合物との接触による処理部、テラヘルツ波を発生する物質をビーズ状にしたものとの接触による処理部を有することを特徴とする水を飲料用に浄化・活性化するための器具。
【請求項２】
請求項１の器具において、アルカリ土類金属化合物による処理部は、アルカリ土類金属の炭酸塩を主成分とする粒状物をネット状の袋に収めたもの、テラヘルツビーズとの接触による処理部は、テラヘルツ波を発生する物質の粒状物をネット状の袋に収めたものであることを特徴とする水を飲料用に浄化・活性化するための器具。
【請求項３】
請求項１又は請求項２の器具において、アルカリ土類金属化合物による処理部、テラヘルツビーズによる処理部の後の排水部の位置より低い部分に、沈殿物を収めるスペースを設けることを特徴とする水を飲料用に浄化・活性化するための器具。
【請求項４】
請求項１乃至請求項３の器具において、アルカリ土類金属化合物による処理部、テラヘルツビーズによる処理部の前に、固体不純物のろ過具と活性炭による吸着部を持つことを特徴とする水を飲料用に浄化・活性化するための器具。
【考案の詳細な説明】
【技術分野】
【０００１】
本考案は、水を飲料用水として人間の健康増進に結びつけるため、具体的には、水に含まれている有害物を除去する（浄化）とともに、水の酸化還元電位を人体にとって適正な値に下げるなどを効率的に行うための器具に関する。なお、水の酸化還元電位を人体にとって適正な値に下げることなどを効率的に行うことを、本考案では、「活性化」と表現する。
【背景技術】
【０００２】
水などの飲料用液体の特性を示すものの第１は人体に有害な物質の含有量であり、第２は、酸化還元電位の値である。酸化還元電位の値がプラスでその絶対値が大きいほど物質の電子を奪う力、すなわち酸化力が大きいことを意味する。逆に、この値がマイマスでその絶対値が大きいほど、物質に電子を与える力、すなわち還元力が大きいことになる。通常の水道水の酸化還元電位は、プラス６００ｍＶ前後と高い。これは雑菌などを殺したり、あるいはその繁殖を抑えたりするためには有効であるが、同じく生体である人体に入る
と、程度の差はあれ悪影響を及ぼすことになる。
【０００３】
一方、自然水の酸化還元電位は水道水より低く、プラス５００ｍＶ以下、プラス２００ｍＶ以上である。また、特別なミネラルウオーターや天然水では、酸化還元電位がさらに低く、２００ｍＶ以下、場合によっては０ｍＶ前後のものもある。ただし、地上に出て大気、光、振動などの影響を受けて、実際に人体に入る時には酸化還元電位は上昇することもある。
【０００４】
飲む時点で人体にとって好ましくは酸化還元電位の値が低いこと、たとえばプラス１００ｍＶ以下、できればマイナス１００ｍＶ以下であることが望まれる。液体の酸化還元電位を下げることなどを、ここでは液体の活性化と呼ぶことにする。水を活性化するには、たとえば、トルマリンを用いる方法が知られている。トルマリンは電気石とも呼ばれる鉱石で、圧力をかけたり、温度を上げたりすると微弱な電流が励起される。この電流の効果で、水などが活性化される。これまで、トルマリン単独で液体の活性化に用いたものは、特許文献１など多数存在する。また、特許文献２では、トルマリンと貴金属を共存させたもの、特許文献３では磁石、特許文献４ではトルマリンと磁石を共存させたものによる水の処理方法が示されているが、活性化の程度は液体とトルマリンの相対運動の程度に依存し、かつその効果は時間とともに低下するので、人体への効果が安定しないという問題がある。
【０００５】
テラヘルツ領域波（以下ではテラヘルツ波と呼ぶ）は、周波数が０．１〜１０ＴＨｚ、波長で言えば３〜３００ミクロンの領域の電磁波で、電波と、光の一種である赤外線の中間の領域にあり、光と電波の性質を併せもっている。このテラヘルツ波がエネルギーを発生している例として、氷に作用してその溶解を促進することが知られている。また特許文献５には、テラヘルツ波の検出方法が示されている。特許文献６は、それを利用した温風加熱卵の製造方法、特許文献７にはカーボナイ構造体の成長方法、特許文献８には細菌などの殺菌方法が示されている。また、病気治療に特別の効果のある温泉、あるいは各種の名水などがいくつか知られており、その詳細な機構は未解明であるが、そのいくつかは自然でのテラヘルツ領域波の効果であると推定されている。
【０００６】
テラヘルツ波の発生法としては、ジャオロトロン、後進波管、遠赤外線レーザー、量子カスケードレーザー、自由電子レーザー、シンクロトロン放射、フォトミキシングソースなどを利用するいくつかの方法が知られているが、これらは高価な装置を必要とするので用途が限られる。それに対して、本発明者と同一の発明者らは、特許文献９で、テラヘルツ領域波を発生するパウダーを、アニオン性界面活性剤を加えた液に混合したものを土壌に散布することによる塩害地での作物栽培促進方法、また、特許文献１０にはテラヘルツ領域波を発生する鉱物を含む粉状物をビーズ状のように成型したものを用いる健康回復法を示している。
【先行技術文献】
【特許文献】
【０００７】
【特許文献１】特開２００４−１３００４７４７号公報
【特許文献２】特開２０００−１６９９１７号公報
【特許文献３】特開２００４−１２１７９１号公報
【特許文献４】特願平１１−３７４１４２号
【特許文献５】特開２００６−１２５６７０号公報
【特許文献６】特開２０１０−９９０２０号公報
【特許文献７】特開２００８−８７０８７号公報
【特許文献８】特開２００５−３０５０６０号公報
【特許文献９】特願２０１１−２７３９４２号
【特許文献１０】特願２０１１−２６７００５号
【考案の概要】
【考案が解決しようとする課題】
【０００８】
本考案は、水を飲料用水として人間の健康増進に結びつけるため、安定して、水に含まれている有害物を除去するとともに、水の酸化還元電位を人体にとって適正な値に下げることを含む活性化を効率的に行うための器具に関する。
【課題を解決するための手段】
【０００９】
本考案の水を飲料用に浄化・活性化するための器具は、水の供給口と、処理後の水を取り出すための排出口を持ち、その中を水が流れる通路に、アルカリ土類金属化合物との接触による処理部、テラヘルツ波を発生する物質をビーズ状にしたものとの接触による処理部を有することを特徴とする。
【考案の効果】
【００１０】
各種の水を原料として、水に含まれている有害物を除去する（浄化）とともに、水の酸化還元電位を人体にとって適正な値に下げるなど、飲料用水として人間の健康増進に結びつけるものにすることができる。
【図面の簡単な説明】
【００１１】
【図１】図１に原料水の流入から、処理後の飲料用水の排出までの処理器具の１例を示す。
【考案を実施するための形態】
【００１２】
本考案の処理を行う原料水の供給口と、処理後の活性水を排出する口の間に取り付ける器具（図１）の大きさは例えば、高さ３０ｍｍ。断面６ｃｍ×８ｃｍである。この器具の壁面を構成するものとしては、ステンレス鋼板、アルミニューム板、チタン板、プラスチック板などを用いられる。水の改質のサポートという点からは、ベストはチタン板であるので、ステンレス鋼板や、アルミニューム板の内面にチタンをコーテイングしたものを用いることも効果的である。この器具に供給された水は、まず給水管スペース２に入り、ついで、処理後の水の消費に応じて、給水管スペース２の下部に設けられた通路を上昇して、下降流として、以下の処理を受ける空間に供給される。この器具の内部に設けられた、下記の処理用は、すべて下降水流に対して行われる。
【００１３】
処理器具の中に、各処理のための物質を定位置に収めるスペースを形成し、また、必要な場合に各処理のための物質を洗浄のために取り出すことができる支持具が収められる。この支持具の材質も、０００８で述べたのと同様である。この支持具によって形成される最も上部のスペースはスポンジフィルターを収めるためのものである。このスペースに収められたスポンジフィルターは、原料水に混入していた粒状固体不純物を分離するためのものである。ただし、この装置に供給される水が事前に固体不純物の分離処理が行われているには、この処理を省略することも可能である。
【００１４】
支持具によって形成される第２の空間は活性炭を収めるためのもの、すなわち活性炭カートリッジスペース４である。活性炭は、本考案が目的とする水の浄化については、水に溶けている有害物質の吸着除去、および水の酸化還元電位を下げることに効果がある。特に、通常の活性炭に比べて竹を素材として作った活性炭は高い効果を持つ。炭材粒子のサイズは２〜１０ｍｍが適正である。
【００１５】
支持具によって形成される第３の空間は、アルカリ土類金属の炭酸塩を主成分とする粒状物を収めるためのものである。このアルカリ土類金属の炭酸塩とは、カルシウムの炭酸塩や、マグネシウムの炭酸塩であるが、本器具では、例えば、沖縄産の珊瑚の粉末をビーズにしたものを用いる。炭材粒子のサイズは２〜１０ｍｍが適正である。このアルカリ土類金属の炭酸塩を主成分とする粒状物は、本考案においては、水の活性化の効果を持つ。
【００１６】
支持具によって形成される第４の空間は、テラヘルツ波を発生する物質の粒状物
粒状物を収めるためのものである。テラヘルツ波発生物としては、テラヘルツ領域波を発生する鉱物を粉砕して粒径２〜１０ｍｍに成形したものを用いる。テラヘルツ領域波を発生する鉱物としては、原子番号が５７以上の元素が１種あるいはそれ以上含まれていることが効率的である。とくに好ましくは、ランタノイド系元素、アクチノイド系元素が含まれていることであるが、これらの元素を２種以混在させると各元素から発生する電磁波が相互作用することによって、効率的にテラヘルツ領域波を発生させることができるのでより一層好ましい。これらの条件を満足する天然鉱物として、たとえば天照石、モナザイト、甦生石などがある。
【００１７】
上記の活性炭、アルカリ土類金属の炭酸塩を主成分とする粒状物、テラヘルツ波発生物の粒状物は、いずれも、ネット状（メッシュ）の袋に収められていることが望ましい（カートリッジ）。その理由は、使用の途中で表面に付着物がついて不活性化してきた時には、これをカートリッジごと取り出して、水で洗浄して、再活性しやすいからである。この粒状物を収めるネット（メッシュ）の材質としては、科学的な水の活性化促進という点からは、銀の線、あるいは他の金属の線の表面に銀メッキしたものが水の活性化という点では、最も顕著な効果を発揮するが、例えばステンレス鋼製のメッシュも用いることができる。なお、活性炭、アルカリ土類金属の炭酸塩を主とする物質、テラヘルツビーズの各カートリッジの容積比率は、５；２；３を基準とする。
【００１８】
なお、用いる原料水の性状などによって、特別の処理が必要でない場合（例えば、水が事前処理によって固体粒子分が十分に除去されている場合）には、支持具によって形成される空間にはなにも収めないまま用いる方法、あるいは、不必要なカートリッジスペースは最初から除いたもの支持具を用いるようにすることも可能である。
【００１９】
この支持具よりも下で、かつ処理後の活性水７がこの装置から取り出される口（孔）、よりも下部に、沈殿物逆流防止板８を設置し、その下部を沈殿物スペースとする。これは、この器具を使用中に何等かの原因で析出物や固体分離物などの不純物を生じた場合にそれを除去するためのものである。このスペースの下部には不純物排出ドレーンが設けられている。
【００２０】
この水を飲料用に浄化・活性化するための器具を、原料水供給口と、処理後の水の取り出し口の間に取り付けることによって、原料水の品質にかかわらず、飲料用に適した浄化・活性化された水を安定して得ることができる。
【実施例１】
【００２１】
水道水を、アルカリ土類金属の炭酸塩を主とする化合物層、続いて、テラヘルツ波発生ビーズ（天照石重量３に、ゼオライト鉱石１、鉄粉１の割合で混合して粉砕したものをビー状に加工）の充填層を通過させて、前後の水の酸化還元電位を測定したところ、供給水は３７０ｍＶ、通過後は、２５ｍＶであった。これを容器に収めた状態で３週間保管しても、ほとんど変化しなかった。
【実施例２】
【００２２】
河川からくみ上げた水を、スポンジフィルター、活性炭充填層、固体不純物のろ過具と活性炭による吸着部をアルカリ土類金属の炭酸塩を主とする化合物層、続いて、テラヘルツ波発生ビーズ（天照石重量３に、ゼオライト鉱石１、鉄粉１の割合で混合して粉砕したものをビー状に加工）の充填層を通過させた。この処理によって元の水の中に存在していた固体粒子分の９８％を除去し、水の酸化還元電位を２５０ｍＶから、１０ｍＶ以下まで安定して低下することができた・
【産業上の利用可能性】
【００２３】
本考案は、飲料水処理の他の装置とも組み合わせて用いることができる。
【符号の説明】
【００２４】
１．原料水
２．給水管スペース
３．スポンジフィルター
４．活性炭カートリッジスペース
５．アルカリ土類金属炭酸塩を主とする化合物のカートリッジスペース
６．テラヘルツビーズカートリッジスペース
７．処理後の活性水
８．沈殿物逆流防止板
９．沈殿物スペース
【図１】
0003209874.tif 000003